(57)【要約】【課題】高感度の免疫測定を実現し、且つ圧力制御を容易にできる、免疫測定システム及び免疫測定用カートリッジを提供すること。【解決手段】試料を収容するための収容空間を形成する中空状の第１のウェル２０１と、収容空間に収容された試料が当該収容空間から流出可能となるように第１のウェル２０１に開閉自在に形成されたものであって、収容空間の内部に所定圧力以上の圧力を加えることにより開状態になると共に、当該圧力を停止することにより閉状態に復帰する開閉部４０２と、収容空間において試料に混入された感作磁性粒子に対して磁気を加えることにより、少なくとも感作磁性粒子を、開閉部４０２の開状態において収容空間に保持する磁気部５０１とを備える。【選択図】図６
2010127917.tif 000002
【特許請求の範囲】
【請求項１】
試料を収容するための収容空間を形成する中空状の収容手段と、
前記収容空間に収容された前記試料が当該収容空間から流出可能となるように前記収容手段に開閉自在に形成されたものであって、前記収容空間の内部に所定圧力以上の圧力を加えることにより開状態になると共に、当該圧力を停止することにより閉状態に復帰する開閉手段と、
前記収容空間において前記試料に混入された磁性体に対して磁気を加えることにより、少なくとも前記磁性体を、前記開閉手段の開状態において前記収容空間に保持する磁気手段と、
を備えることを特徴とする免疫測定システム。
【請求項２】
前記収容手段の底部には、前記試料が前記収容空間から流出可能な開口を設け、
前記開閉手段を、前記開口を覆うように前記収容手段の外部に設けたこと、
を特徴とする請求項１に記載の免疫測定システム。
【請求項３】
前記開閉手段を、前記収容手段と一体に成形したこと、
を特徴とする請求項１に記載の免疫測定システム。
【請求項４】
前記開閉手段に、又は前記収容手段における底部の近傍位置に、前記収容空間の長手方向に対して略直交する方向であって当該収容空間の内側に向かう方向に突出する段差部を設けたこと、
を特徴とする請求項１から３のいずれか一項に記載の免疫測定システム。
【請求項５】
前記磁気手段を、前記収容空間の長手方向に沿って移動可能としたこと、
を特徴とする請求項１から４のいずれか一項に記載の免疫測定システム。
【請求項６】
試料を収容するための収容空間を形成する中空状の収容手段と、
前記収容空間に収容された前記試料が当該収容空間から流出可能となるように前記収容手段に開閉自在に形成されたものであって、前記収容空間の内部に所定圧力以上の圧力を加えることにより開状態になると共に、当該圧力を停止することにより閉状態に復帰する開閉手段と、
を備えたことを特徴とする免疫測定用のカートリッジ。
【請求項７】
前記開閉手段を、前記収容手段の内部に配置したこと、
を特徴とする請求項６に記載の免疫測定用のカートリッジ。
【請求項８】
前記開閉手段を、前記収容手段の外部に配置したこと、
を特徴とする請求項６に記載の免疫測定用のカートリッジ。
【請求項９】
前記開閉手段を、前記収容手段と一体に成形したこと、
を特徴とする請求項６に記載の免疫測定用のカートリッジ。
【請求項１０】
前記開閉手段には、前記収容手段の長手方向に略直交する方向に沿って、前記収容手段の内部に突出する段差部を設けたこと、
を特徴とする請求項６から９のいずれか一項に記載の免疫測定用のカートリッジ。
【発明の詳細な説明】
【技術分野】
【０００１】
本発明は、試料の中から所望の物質を抽出する免疫測定システムと、この免疫測定に使用するカートリッジに関する。
【背景技術】
【０００２】
従来から、複数種類の物質を含有する試料の中から所望の物質を抽出する免疫測定システムを構築する試みがなされている。例えば、Ｂ／Ｆ（Ｂｏｕｎｄ／Ｆｒｅｅ）洗浄液排液用ノズル、ノズル洗浄工程及びノズル洗浄機構を不必要とする弁機構付きカートリッジが備えられたシステムが提案されている（例えば、特許文献１参照）。このシステムは、試料が収容されるカートリッジと、カートリッジ底部に設けられたものであって、所望の物質を吸着するための繊維状マトリックスフィルタと（以下、フィルタと称する）、同じくカートリッジの底部に設けられたものであって、試料をカートリッジの外部へ流出させるための一方向弁とを備えて構成されている。
【０００３】
この免疫測定システムの免疫測定処理は、以下の通りに行われる。まず、所望の物質が含まれる試料をカートリッジに注入した後、カートリッジの内部を加圧することによって、フィルタに所望の物質を吸着させ、その他の試料をフィルタを介して流出させる。次に、カートリッジの内部の不純物を除去するために、洗浄液をカートリッジに分注した後、カートリッジの内部を加圧することによって、この洗浄液をフィルタを介して流出させる。さらに、回収液をカートリッジに注入することによって所望の物質をフィルタから脱着させ、カートリッジの内部を加圧することによって回収液をフィルタを介して流出させる。これにより、当該所望の物質を回収する。
【０００４】
【特許文献１】特開２００７-２５２３３５号公報
【発明の開示】
【発明が解決しようとする課題】
【０００５】
しかしながら、上記特許文献１に記載のシステムは、フィルタを利用して所望の物質を抽出していたため、所望の物質がフィルタ内に入り込んだり、フィルタ自体が試料を吸収したりすることで、フィルタに所望の物質が残存していた。そのため、このようなフィルタを用いて測定を繰り返すと、残存した所望の物質によってブランク信号が高くなり、測定感度が低下するという問題が生じていた。
【０００６】
また、上記特許文献１に記載のシステムは、フィルタと一方向弁を設けていたので、フィルタの目詰まりによって弁制御のための圧力制御が困難となっていた。このため、例えば、カートリッジの内部の圧力を高め過ぎてフィルタが破損し、目的の工程動作が不可能となる恐れがあった。
【０００７】
本発明は、上述した問題点を解決するためになされたものであり、高感度の免疫測定を実現し、且つ圧力制御を容易にできる、免疫測定システム及び免疫測定用のカートリッジを提供することを目的とする。
【課題を解決するための手段】
【０００８】
上述した課題を解決し、目的を達成するため、請求項１に記載の免疫測定システムは、試料を収容するための収容空間を形成する中空状の収容手段と、前記収容空間に収容された前記試料が当該収容空間から流出可能となるように前記収容手段に開閉自在に形成されたものであって、前記収容空間の内部に所定圧力以上の圧力を加えることにより開状態になると共に、当該圧力を停止することにより閉状態に復帰する開閉手段と、前記収容空間において前記試料に混入された磁性体に対して磁気を加えることにより、少なくとも前記磁性体を、前記開閉手段の開状態において前記収容空間に保持する磁気手段とを備えること特徴とする。
【０００９】
また、請求項２に記載の免疫測定システムは、請求項１に記載の免疫測定システムにおいて、前記収容手段の底部には、前記試料が前記収容空間から流出可能な開口を設け、前記開閉手段を、前記開口を覆うように前記収容手段の外部に設けたことを特徴とする。
【００１０】
また、請求項３に記載の免疫測定システムは、請求項１に記載の免疫測定システムにおいて、前記開閉手段を、前記収容手段と一体に成形したことを特徴とする。
【００１１】
また、請求項４に記載の免疫測定システムは、請求項１から３のいずれか一項に記載の免疫測定システムにおいて、前記開閉手段に、又は前記収容手段における底部の近傍位置に、前記収容空間の長手方向に対して略直交する方向であって当該収容空間の内側に向かう方向に突出する段差部を設けたことを特徴とする。
【００１２】
また、請求項５に記載の免疫測定システムは、請求項１から４のいずれか一項に記載の免疫測定システムにおいて、前記磁気手段を、前記収容空間の長手方向に沿って移動可能としたことを特徴とする。
【００１３】
また、請求項６に記載の免疫測定用のカートリッジは、試料を収容するための収容空間を形成する中空状の収容手段と、前記収容空間に収容された前記試料が当該収容空間から流出可能となるように前記収容手段に開閉自在に形成されたものであって、前記収容空間の内部に所定圧力以上の圧力を加えることにより開状態になると共に、当該圧力を停止することにより閉状態に復帰する開閉手段とを備えたことを特徴とする。
【００１４】
また、請求項７に記載の免疫測定用のカートリッジは、請求項６に記載の免疫測定用のカートリッジにおいて、前記開閉手段を、前記収容手段の内部に配置したことを特徴とする。
【００１５】
また、請求項８に記載の免疫測定用のカートリッジは、請求項６に記載の免疫測定用のカートリッジにおいて、前記開閉手段を、前記収容手段の外部に配置したことを特徴とする。
【００１６】
また、請求項９に記載の免疫測定用のカートリッジは、請求項６に記載の免疫測定用のカートリッジにおいて、前記開閉手段を、前記収容手段と一体に成形したことを特徴とする。
【００１７】
また、請求項１０に記載の免疫測定用のカートリッジは、請求項６から９のいずれか一項に記載の免疫測定用のカートリッジにおいて、前記開閉手段には、前記収容手段の長手方向に略直交する方向に沿って、前記収容手段の内部に突出する段差部を設けたことを特徴とする。
【発明の効果】
【００１８】
請求項１に記載の免疫測定システムによれば、磁性体を収容空間に保持する磁気手段を備えたことで、収容手段にフィルタを設ける必要がなくなるため、所望の物質がフィルタ内に入り込んだり、フィルタ自体が試料を吸収したりすることがないので、収容空間において所望の物質が残存することを防止でき、測定感度が低下することを抑制できる。また、磁気手段によって磁性体を吸引しながら開閉手段を開いて試料を流出させるので、収容空間の内部の圧力を容易に制御できると共に、試料を収容空間からスムーズに流出させることができ、測定時間を短縮化することができる。特に、収容手段の構造を簡素化できるので、収容手段の部品数低減及び収容手段の小型化を図ることができ、収容手段の製造コストを低減することができる。
【００１９】
請求項２に記載の免疫測定システムによれば、開閉手段を外部に設けたことで、収容手段と開閉手段との接続部や境界部等の隙間に所望の物質が入り込んで残存することを防止でき、測定感度が低下することを一層抑制できる。
【００２０】
請求項３に記載の免疫測定システムによれば、開閉手段を収容手段と一体成形したことで、収容手段の構造を簡素化することができるので、部品点数の減少及び収容手段の小型化を図ることができ、収容手段の製造コストを一層低減することができる。
【００２１】
請求項４に記載の免疫測定システムによれば、開閉手段に段差部を設けたことで、収容空間から試料を流出させる場合に、段差部の上段にて磁性体を保持することで、試料の流出に伴って収容空間から磁性体が流出することを防止できる。
【００２２】
請求項５に記載の免疫測定システムによれば、磁気手段を収容空間の長手方向に沿って移動可能にしたことで、収容空間から試料を流出させる場合に、磁性体を収容空間の上方に移動させることで、試料の流出に伴って収容空間から磁性体が流出することを一層効果的に防止できる。
【００２３】
請求項６に記載の免疫測定用のカートリッジによれば、収容空間の内部の圧力を制御することで収容手段を開閉でき、ノズル機構を用いることなく洗浄液の排出等を行うことが可能となるので、免疫測定を迅速に行うことができると共に、免疫測定装置を簡素化することができる。
【００２４】
請求項７に記載の免疫測定用のカートリッジによれば、開閉手段を収容手段の内部に配置したので、開閉手段を外部から保護でき、開閉手段が外力を受けて変形等したり、開閉手段を介して収容空間に異物が侵入することを防止できる。
【００２５】
請求項８に記載の免疫測定用のカートリッジによれば、開閉手段を収容手段の外部に配置したので、収容手段に対する開閉手段の接続作業が容易になると共に、収容手段と開閉手段との接続部や境界部等の隙間にサンプル等が入り込んで残存することを防止でき、測定感度が低下することを一層抑制できる。
【００２６】
請求項９に記載の免疫測定用のカートリッジによれば、開閉手段を収容手段と一体に成形したので、収容手段の構造を簡素化することができ、部品点数の減少及びカートリッジの小型化を図ることができ、カートリッジの製造コストを一層低減することができる。
【００２７】
請求項１０に記載の免疫測定用のカートリッジによれば、開閉手段に段差部を設けたので、収容手段から試料を流出させる場合に、段差部にて感作磁性粒子を保持することで、試料の流出に伴って収容手段から感作磁性粒子が流出することを防止できる。
【発明を実施するための最良の形態】
【００２８】
以下に添付図面を参照して、この発明の各実施の形態を詳細に説明する。まず、〔I〕各実施の形態に共通の基本的概念を説明した後、〔II〕各実施の形態の具体的内容について説明し、〔III〕最後に、各実施の形態に対する変形例について説明する。ただし、これら各実施の形態によって本発明が限定されるものではない。
【００２９】
〔I〕各実施の形態に共通の基本的概念
まず、各実施の形態に共通の基本的概念について説明する。各実施の形態に係る免疫測定システム及び免疫測定用のカートリッジは、標的物質にのみ選択的に結合する試料に、標的物質を含むサンプル、及び酵素標識抗体等を混合して、結合によって生成された複合物質を抽出するものである。
【００３０】
各実施の形態に係る免疫測定システムの設置対象は任意であり、例えば、医療分野において、複数種類の物質を含有する試薬の中から所望の物質を分離・同定して分析を行うための自動免疫測定装置に適用することができる。以下の実施の形態では、自動免疫測定装置に免疫測定システムが用いられ、ＥＩＡ（Ｅｎｚｙｍｅ  Ｉｍｍｕｎｏａｓｓａｙ：酵素免疫測定法）測定によって血液等のサンプルの分析が実施される例について説明する。
【００３１】
各実施の形態に係る免疫測定システムの特徴の一つは、概略的に、磁性体を収容空間に保持する磁気手段と、収容手段に開閉自在に形成されたものであって、収容空間の内部に所定圧力以上の圧力を加えることにより開状態になると共に、当該圧力を停止することにより閉状態に復帰する開閉手段とを備える点にある。これにより、収容手段にフィルタを設ける必要がなくなるため、所望の物質がフィルタ内に入り込んだり、フィルタ自体が試料を吸収したりすることがないので、収容空間において所望の物質が残存することを防止でき、測定感度が低下することを防止できる。また、磁気手段によって磁性体を吸引しながら開閉手段を開いて試料等を流出させるので、収容空間の内部の圧力を容易に制御できると共に、試料を収容空間からスムーズに流出させることができ、測定時間を短縮化することができる。特に、収容手段の構造を簡素化できるので、収容手段の部品数低減及び収容手段の小型化を図ることができ、収容手段の製造コストを低減することができる。
【００３２】
〔II〕各実施の形態の具体的内容
次に、各実施の形態の具体的内容について説明する。各実施の形態に係る免疫測定システムと免疫測定用カートリッジの構成、及び当該免疫測定システムによる測定処理について順次説明する。
【００３３】
〔実施の形態１〕
まず実施の形態１について説明する。この実施の形態１は、開閉手段を収容手段の内部に配置した形態である。
【００３４】
（構成）
まず、免疫測定システムと免疫測定用カートリッジの構成について説明する。
【００３５】
（構成−全体）
最初に、実施の形態１に係る免疫測定システムの全体構成について説明する。図１は実施の形態１に係る免疫測定システムの全体斜視図、図２はカバーを取り外した状態における図１の免疫測定システムの全体平面図である。この免疫測定システム１は、免疫測定用カートリッジ（以下、カートリッジ）２００に収容された試料を用いてＥＩＡ測定を行う自動酵素免疫測定装置であり、概略的には、ベース面２の上部に搬送機構１００を配置して構成されており、この搬送機構１００にてカートリッジ２００を所定の複数位置に順次搬送し、これら各位置において各種の所定操作を行うことで測定を行うものである。
【００３６】
カートリッジ２００は、測定者の手作業や公知の機構を用いて、搬送機構１００おける搬送基点となる位置Ｐ１にセットされる。この搬送機構１００の要部斜視図を図３に示す。この搬送機構１００は、図示太線矢印方向に沿ってカートリッジ２００を所定時間（例えば３０秒）毎に間欠的に所定距離ずつ搬送するものであり、図２、３に一点鎖線にて示すように、分注ステージ１０、測定ステージ２０、及び廃棄ステージ３０に順次至るように設けられている。
【００３７】
分注ステージ１０は、測定対象となる試料を調製する工程である。この分注ステージ１０では、搬送機構１００にセットされたカートリッジ２００を搬送させながら、カートリッジ２００に予め充填された試料に、サンプル、及び酵素標識抗体等が分注・吸引されることで、各種物質の結合によって複合物質が生成される。そして、この複合物質を含む試料が測定ステージ２０に搬送される。
【００３８】
測定ステージ２０は、カートリッジ２００の内部の複合物質を測定する工程である。この測定ステージ２０では、分注ステージ１０にて調製された試料に含まれる複合物質が、化学発光、蛍光、吸収、散乱あるいは電気化学等の現象を利用して、定量的に検出される。具体的には、測定ステージ２０には、カートリッジ２００を挿入可能な開口を有するものであって、暗室スペースを形成する図示しない測定部が設けられており、この図示しない測定部が、当該測定部に備えられた図示しない光電子増倍管を用いて、当該測定部に挿入されたカートリッジ２００の内部における化学発光物質の光量を測定する。
【００３９】
廃棄ステージ３０は、測定ステージ２０で使用された試料を廃棄する工程である。この廃棄ステージ３０では、カートリッジ２００を収容可能な開口を有する図示しない廃棄容器が設けられており、この廃棄容器が、搬送機構１００にて搬送されたカートリッジ２００を、当該搬送機構１００からの自由落下等によって当該廃棄容器の開口を介して収容する。
【００４０】
（構成−カートリッジ）
次に、実施の形態１に係る免疫測定システム１における測定に使用するカートリッジ２００の構成について説明する。図４はカートリッジ２００を示す図であり、（ａ）は平面図、（ｂ）は正面図、図５はカートリッジ２００の縦断面図である。図６は図３のＡ−Ａ矢視縦断面図である。図７は開閉部の動作を示す縦断面図であり、（ａ）は開閉部の閉状態、（ｂ）は磁気部の近接状態、（ｃ）は開閉部の開状態を示す。カートリッジ２００は、試料を収容するための収容空間を形成する中空状の収容手段である。具体的には、図４、５に示すように、カートリッジ２００は、中空筒状の第１から第３のウェル２０１〜２０３を並列配置して構成されている。第１のウェル２０１は、カートリッジ２００の一端部に配置されており、その内部には、感作磁性粒子を含む試料が予め充填されている。第２のウェル２０２は、カートリッジ２００の中央に配置されており、その内部は、充填物のない空きスペースとなっている。第３のウェル２０３は、第２のウェル２０２を挟んで第１のウェル２０１とは反対側の端部に配置されており、その内部には、図示しない酵素標識抗体が予め充填されている。これら第１から第３のウェル２０１〜２０３の上面は開口となっているが、この開口は図示しないシールにて密閉されている。
【００４１】
また、これら第１から第３のウェル２０１〜２０３の上端近傍には、第１のウェル２０１や第３のウェル２０３よりもさらに側方に突出する端部２０４が設けられており、この端部２０４を搬送機構１００の後述する搬送ベルト１０１で挟持した状態で、カートリッジ２００が搬送される。この端部２０４には、鉛直方向に沿う切欠部２０５が形成されており、この切欠部２０５には搬送機構１００の後述するガイド突起１０４を係脱自在に係止させることができる。
【００４２】
また、図７に示すように、第１のウェル２０１の底部には、第１のウェル２０１の内部に収容された試料が当該第１のウェル２０１の内部から流出可能な開口（ダックビル）４００が設けられている。この開口４００の近傍には、第１のウェル２０１に内包される接続部４０１及び開閉部４０２が設けられている。
【００４３】
接続部４０１は、開閉部４０２を第１のウェル２０１に接続するための接続手段である。この接続部４０１は、第１のウェル２０１の外側に向かって凹状に形成され、第１のウェル２０１の内側側壁であって、開閉部４０２の外側側面に配置されている。
【００４４】
開閉部４０２は、第１のウェル２０１の内部に収容された試料が当該第１のウェル２０１の内部から流出可能となるように第１のウェル２０１に開閉自在に形成されたものであって、第１のウェル２０１の内部に所定圧力以上の圧力を加えることにより開状態になると共に、当該圧力を停止することにより閉状態に復帰する開閉手段である。この開閉部４０２は、一対のリップ４０３、４０４、一対の凸部４０５、４０６、及びスリット４０７を備えて構成されている。一対のリップ４０３、４０４は、試料を支持するための支持手段である。具体的には、一対のリップ４０３、４０４は、第１のウェル２０１の上側から下側に向かって互いに収束するように接近している略板状の弾性材であり、当該一対のリップ４０３、４０４とが互いに当接し、当該一対のリップ４０３、４０４の外側側面と第１のウェル２０１の内側側壁とが当接する位置に配置されている。一対のリップ４０３、４０４の具体的形状は任意であり、例えば、試料の圧力を受ける一対のリップ４０３、４０４の下方は、一対のリップ４０３、４０４の上方の板厚よりも大きくすることが好ましい。
【００４５】
一対の凸部４０５、４０６は、接続部４０１に嵌合される部分であり、一対のリップ４０３、４０４の上端に隣接して配置されている。具体的には、一対の凸部４０５、４０６は、外側に突出した凸状に形成されており、接続部４０１と対向する位置に配置され、接続部４０１に対して嵌合固定されている。ここで、これら一対の凸部４０５、４０６の側面と、第１のウェル２０１の内側側壁とが密着して当接されていることから、この間に感作磁性粒子が入り込むことが防止されている。また、一対の凸部４０５、４０６に加わる負担を緩和することが好ましく、例えば、一対の凸部４０５、４０６の形状を大きくしたり、一対の凸部４０５、４０６以外に支持力を負担させてもよい。あるいは、第１のウェル２０１の内側側壁に、一対のリップ４０３、４０４の一部を嵌め合い可能な一対の嵌合部４０８、４０９を設けているので、一対の凸部４０５、４０６側面と第１のウェル２０１の内側側壁とが密着して当接され、一対の凸部４０５、４０６の支持力を負担することができ、一対の凸部４０５、４０６の形状をコンパクトにすることができる。
【００４６】
また、スリット４０７は、第１のウェル２０１の内部に収容された試料を外部へ流出させるための開口手段であり、細長状に形成され、一対のリップ４０３、４０４間に配置されている。スリット４０７は、第１のウェル２０１の上側から下側に向かう方向の流動に対しては、当該スリット４０７が開いてその流動を許容し、第１のウェル２０１の下側から上側に向かう方向の流動に対しては、スリット４０７が閉じた状態を維持し、その流動を規制することができる。ここで、スリット４０７の開閉は、第１のウェル２０１の内部の圧力の大きさに左右される。例えば、第１のウェル２０１の内部の圧力が所定以下の場合には、スリット４０７は、一対のリップ４０３、４０４の弾性力によって互いに密着されることから閉状態となる。この状態では、スリット４０７は試料等の自重によって開状態にはならない。一方、第１のウェル２０１の内部の圧力が所定以上の場合には、スリット４０７は、一対のリップ４０３、４０４が押し開かれることから開状態となる。この状態では、スリット４０７は第１のウェル２０１から試料等を流出させる。
【００４７】
（構成−搬送機構）
次に、図３の搬送機構１００の詳細について説明する。この搬送機構１００は、一対の搬送ベルト１０１と、これら各搬送ベルト１０１を駆動する駆動機構１０２を備えて構成されている。一対の搬送ベルト１０１は、弾性部材（例えば合成樹脂）にて形成された無端ベルトであり、各々の搬送面が鉛直方向にほぼ沿う向きで配置されている。これら一対の搬送ベルト１０１は、その相互間にカートリッジ２００を挟持可能なように、当該カートリッジ２００の幅に対応する間隔を隔てて配置されている。なお、カートリッジ２００にて搬送ベルト１０１が押圧された場合においても、カートリッジ２００の幅に対応する間隔を安定的に維持するため、各搬送ベルト１０１の中央には間隔保持プレート１０３が配置されている。また、各搬送ベルト１０１の搬送面には、カートリッジ２００側に突出するガイド突起１０４（後述する図６にのみ図示する）が、カートリッジ２００の配置間隔に対応する間隔で固着されている。このガイド突起１０４は、カートリッジ２００の切欠部２０５に対応する長さ及び幅の縦長の直方体であり、この切欠部２０５に対してガイド突起１０４を係脱自在に係止させることで、カートリッジ２００の搬送の安定性を向上させる。駆動機構１０２は、搬送ベルト１０１の搬送方向における両端部に設けられたスプロケット１０５と、このスプロケット１０５を回転させる図示しないステップモータを備えて構成されている。ただし、駆動機構１０２としてはその他の公知の機構を採用することができる。
【００４８】
（構成−分注ステージ）
次に、実施の形態１に係る分注ステージ１０の構成について詳細に説明する。ただし、分注ステージ１０は、従来と同様に構成することができるので、以下ではその基本的構成のみを説明する。また、測定ステージ及び廃棄ステージの構成については、ここでは説明を省略する。図２に示すように、分注ステージ１０は、カートリッジ２００対するサンプルの分注等を行うステージであり、この分注ステージ１０における搬送ベルト１０１の近傍には、図示しないシール除去装置、希釈液分注ポンプ１１、１２、圧力ポンプ１９、及び試薬吸引分離ポンプ１３が配置されている。また、ベース面２には、サンプルカセット１４、サンプリングチップカセット１５、サンプルクレーン機構１６、及びサンプリングポンプユニット１７が配置されている。サンプルカセット１４には、測定対象となるサンプルを含んだサンプル容器３００が複数配置されている。サンプリングチップカセット１５には、複数のサンプリングチップ１８が配置されており、このサンプリングチップ１８をサンプルクレーン機構１６にて水平面内において移送させ、サンプリングポンプユニット１７にてポンプ動作を行なうことで、サンプルの吸引や分注を行うことができる。
【００４９】
図６に示すように、この部分において、搬送機構１００の間隔保持プレート１０３の下方には、可動部５００が設けられている。この可動部５００は、間隔保持プレート１０３から第１のウェル２０１の近傍に至る長さを有する直方体であって、間隔保持プレート１０３の下方から第１のウェル２０１に向けて突出するように配置されている。
【００５０】
この可動部５００の側面のうち、第１のウェル２０１に対向する側面には、磁気部５０１が設けられている。磁気部５０１は、第１のウェル２０１において試料に混入された感作磁性粒子に対して磁気を加えることにより、少なくとも感作磁性粒子を、開閉部４０２の開状態において第１のウェル２０１に保持する磁気手段である。この磁気部５０１は、可動部５００から第１のウェル２０１に近接するまでの長さを有する直方体にて形成され、第１のウェル２０１側に突出するようにして、可動部５００の側面に埋め込まれている。磁気部５０１のサイズは任意であるが、例えば、第１のウェル２０１の高さや収容量などに応じて決定するのが好ましい。また、磁気部５０１の種類は任意であり、例えば、永久磁石や電磁石等が該当する。
【００５１】
また、この可動部５００と間隔保持プレート１０３との間には、第１のウェル２０１の長手方向に沿って移動可能な図示しない上下機構が設けられている。図示しない上下機構は、第１のウェル２０１の長手方向に沿って配置された公知のレール部に、公知のローラ部を取り付けた可動部５００を載せ、公知のエアシンリンダやサーボモータの如き駆動手段を用いて、可動部５００を第１のウェル２０１の長手方向に沿って移動させ、この長手方向における所定の位置に位置決めする。
【００５２】
（免疫測定システムの作用）
次に、実施の形態１に係る免疫測定システム１の作用について説明する。ここで、実施の形態１に係る免疫測定システム１の特徴である分注ステージ１０について説明するが、測定ステージ及び廃棄ステージについては、ここでは説明を省略する。図２において、カートリッジ２００を、搬送機構１００における搬送基点となる位置Ｐ１（搬送ベルト１０１の相互間の上流側端部位置）にセットする。この際、各搬送ベルト１０１のガイド突起１０４をカートリッジ２００の切欠部２０５に下方から挿通させることで、ガイド突起１０４を切欠部２０５に係止させる。
【００５３】
その後、このカートリッジ２００を、搬送ベルト１０１にて所定時間毎に間欠的に所定距離ずつ搬送する。位置Ｐ１の次の搬送位置から分注ステージ１０が開始される。この搬送位置では、図示しないシール除去装置をカートリッジ２００の上方から下降させ、このカートリッジ２００の図示しないシールに孔を開けて、第１から第３のウェル２０１から２０３を開口する。次の搬送位置では、カートリッジ２００の第２のウェル２０２に希釈液分注ポンプ１１、１２により希釈液を分注する。また、この分注の間に、サンプルクレーン機構１６によってサンプリングポンプユニット１７を移動させ、このサンプリングポンプユニット１７の図示しないノズルの先端に、サンプリングチップカセット１５に配置されたサンプリングチップ１８を装着し、さらにサンプリングチップ１８の内部に、サンプルカセット１４に配置されたサンプル容器３００のサンプルを吸入する。
【００５４】
次の搬送位置では、サンプリングチップ１８の内部に吸入したサンプルを、カートリッジ２００の第２のウェル２０２に分注した後、希釈液で希釈されたサンプルをサンプリングチップ１８によって再吸引及び再分注することで攪拌する。そして、このサンプルを感作磁性粒子を含む第１のウェル２０１に分注して、このサンプルをサンプリングチップ１８によって再吸引及び再分注することで攪拌する。その後、サンプルクレーン機構１６によってサンプリングポンプユニット１７を移動させ、次回の測定のために、サンプリングチップ１８を図示しない廃棄容器に落下させることで廃棄する。
【００５５】
次の搬送位置からさらに複数の搬送位置に搬送する間に、カートリッジ２００を約３７℃にて約１０分間保温することで、抗原抗体反応させる。この反応によって生成された複合物質は、感作磁性粒子に担持される。その後、図７（ａ）及び図７（ｂ）に示すように、図の搬送位置にカートリッジ２００が搬送されると、図示しないセンサがこれを感知し、このセンサからの信号を受けて可動部５００が図示しない上下機構によって自動的に所定の位置に移動される。これにより、磁気部５０１が開閉部４０２に近接し、試料を浮遊している感作磁性粒子が、当該磁気部５０１の磁場によって開閉部４０２側に吸引される。具体的には、感作磁性粒子は、開閉部４０２の内側側面全体又は一部に吸着される。このとき、磁気部５０１は、開閉部４０２近傍に位置してもよい。あるいは、開閉部４０２よりも上方の第１のウェル２０１の側壁に位置してもよい。もしくは、一旦、磁気部５０１を開閉部４０２近傍に位置させて感作磁性粒子を吸着した後、この磁気部５０１を開閉部４０２よりも上方に移動させることで、感作磁性粒子を上方に移動させて開閉部４０２から離してもよい。このように感作磁性粒子を開閉部４０２から離すことで、試料の流出と共に感作磁性粒子が流出することを防止でき、また、感作磁性粒子が一対のリップ４０３、４０４の相互間に挟まれてその開閉の障害になるような事態を防止できる。次いで、図７（ｃ）に示すように、感作磁性粒子を吸引させた状態で、圧力ポンプ１９を用いて第１のウェル２０１の内部に所定の圧力を加えることで開閉部４０２のスリット４０７を開き、未反応試料を開閉部４０２を介して、第１のウェル２０１の下方に設けられた図示しない廃棄容器へ廃棄する。これにより、感作磁性粒子が第１のウェル２０１から流出することを防止しながら、感作磁性粒子と未反応試料とを分離することができる（以下、Ｂ/Ｆ分離と称する）。
【００５６】
そして、この磁場内にある次の搬送位置において、開閉部４０２の内側側面に付着した感作磁性粒子を洗浄し、未反応溶液を洗い流す。具体的には、図７（ａ）に示すように、まず、可動部５００を磁場が及ばない位置に移動させた後に、希釈液分注ポンプ１１、１２を用いて第１のウェル２０１に洗浄液を分注する。次いで、図７（ｂ）に示すように、可動部５００を磁場が及ばない位置に移動させた後に、感作磁性粒子を磁気部５０１の磁場によって開閉部４０２側に吸引させる。そして、図７（ｃ）に示すように、感作磁性粒子を吸引させた状態で、圧力ポンプ１９を用いて第１のウェル２０１の内部に所定の圧力を加えることで開閉部４０２のスリット４０７を開き、洗浄液を開閉部４０２を介して、第１のウェル２０１の下方に設けられた図示しない廃棄容器へ廃棄する。なお、この洗浄動作を複数回（望ましくは８〜１０回）繰り返す。
【００５７】
次の搬送位置では、第３のウェル２０３内の酵素標識抗体が試薬吸引分離ポンプ１３により吸引されて第１のウェル２０１に分注される。この搬送位置において、図示しない加振装置にて第１のウェル２０１を振動させることで、酵素標識抗体と抗原抗体反応物の攪拌を行う。
【００５８】
次の搬送位置からさらに複数の搬送位置に搬送する間に、カートリッジ２００を約３７℃にて約１０分間保温することで、標識抗体反応させる。その後の搬送位置において、磁気部５０１にて再び上述したＢ/Ｆ分離を行い、この磁気部５０１の磁場内にある次の搬送位置において、第１のウェル２０１を洗浄液にて上述した洗浄作業をし、さらに次の搬送位置において、第１のウェル２０１を図示しない加振装置で再び攪拌した後、次の搬送位置からさらに複数の搬送位置に搬送する間に、カートリッジ２００を約３７℃にて約５分間保温することで、酵素反応させる。これにて分注ステージ１０が終了する。
【００５９】
（実施の形態１の効果）
このように実施の形態１によれば、感作磁性粒子を第１のウェル２０１に保持する磁気部５０１を備えたことで、第１のウェル２０１にフィルタを設ける必要がなくなるため、サンプルがフィルタ内に入り込んだり、フィルタ自体が試料を吸収したりすることがないので、第１のウェル２０１の内部においてサンプルが残存することを防止でき、測定感度が低下することを回避できる。また、磁気部５０１によって感作磁性粒子を吸引しながら開閉部４０２を開いて試料を流出させるので、第１のウェル２０１の内部の圧力を容易に制御できると共に、試料を第１のウェル２０１の内部からスムーズに流出させることができ、測定時間を短縮化することができる。特に、第１のウェル２０１の構造を簡素化できるので、第１のウェル２０１の部品数低減及び第１のウェル２０１の内部の小型化を図ることができ、システムの設置コストを低減することができる。
【００６０】
また、磁気部５０１を第１のウェル２０１の長手方向に沿って移動可能にしたことで、第１のウェル２０１の内部から試料を流出させる場合に、感作磁性粒子を第１のウェル２０１の上方に移動させることで、試料の流出に伴って第１のウェル２０１の内部から感作磁性粒子が流出することを一層防止できる。
【００６１】
〔実施の形態２〕
次に、実施の形態２について説明する。この実施の形態２は、開閉手段を収容手段の外部に配置にした形態である。特記する場合を除いて実施の形態１の構成と略同一であり、実施の形態１の構成と略同一の構成についてはこの実施の形態１で用いたのと同一の符号又は名称を必要に応じて付して、その説明を省略する（実施の形態３においても同じ）。
【００６２】
（構成）
図８は、実施の形態２に係る免疫測定システム１のカートリッジ２００を示す図であり、（ａ）は平面図、（ｂ）は正面図である。図９は、カートリッジ２００の縦断面図である。図１０は開閉部４０２の動作を示す縦断面図であり、（ａ）は開閉部４０２の閉状態、（ｂ）は磁気部５０１の近接状態、（ｃ）は開閉部４０２の開状態を示す。実施の形態２に係る免疫測定システムは、図１、２に示した実施の形態１の免疫測定システム１とほぼ同様に構成でき、開閉部４０２の構成と、開閉部４０２の後述する作用のみが異なるため、その他の構成の説明は省略する。
【００６３】
第１のウェル２０１の底部には、第１のウェル２０１の内部に収容された試料が当該第１のウェル２０１の内部から流出可能な開口４００が設けられている。この開口４００の近傍には、開口４００を覆うように第１のウェル２０１の外部に接続部４０１及び開閉部４０２が設けられている。
【００６４】
この開閉部４０２は、一対のリップ４０３、４０４、一対の凸部４０５、４０６、及びスリット４０７を備えて構成されている。一対のリップ４０３、４０４は、第１のウェル２０１の上側から下側に向かって互いに収束するように接近している略板状の弾性材であり、当該一対のリップ４０３、４０４とが互いに当接し、当該一対のリップ４０３、４０４の上端の内側面が第１のウェル２０１の外側側壁と当接する位置に配置されている。ここで、一対のリップ４０３、４０４の上端の内側面と、第１のウェル２０１の外側側壁との当接面が密着していることから、この間に感作磁性粒子や試料等が入り込むことがない。
【００６５】
また、スリット４０７は、第１のウェル２０１の内部に収容された試料を外部へ流出させるための開口手段であり、細長状に形成され、一対のリップ４０３、４０４間に配置されている。
【００６６】
一対の凸部４０５、４０６は、接続部４０１に嵌合される部分であり、一対のリップ４０３、４０４の上端に隣接して配置されている。具体的には、一対の凸部４０５、４０６は、開口４００内側に突出した凸状に形成されており、接続部４０１と対向する位置に配置され、接続部４０１に対して嵌合固定されている。また、一対の凸部４０５、４０６の水平幅は、強度を高めるために大きくすることが好ましく、例えば、一対の凸部４０５、４０６の水平幅を大きくすると共に、一対の凸部４０５、４０６の下側面と当接している第１のウェル２０１の側壁面の水平幅を大きくする。なお、一対の凸部４０５、４０６の材質は任意であり、例えば、一対のリップ４０３、４０４と同じ弾性材であるか、あるいは一対のリップ４０３、４０４よりも硬質な材料であってもよい。
【００６７】
（免疫測定システムの作用）
次に、実施の形態２に係る免疫測定システム１の作用について説明する。ここでは、開閉部４０２に関連する処理について説明し、その他の説明は省略する。
【００６８】
感作磁性粒子を抗原抗体反応させた後、図１０（ａ）及び図１０（ｂ）に示すように、所定の搬送位置において、第１のウェル２０１を磁気部５０１に近接させることで、試料を浮遊している感作磁性粒子を、当該磁気部５０１の磁場によって開閉部４０２側に吸引させる。具体的には、感作磁性粒子は、開閉部４０２の内側側面と試料との接触面に吸着される。次いで、図１０（ｃ）に示すように、感作磁性粒子を吸引させた状態で、圧力ポンプ１９を用いて第１のウェル２０１の内部に所定の圧力を加えることで開閉部４０２のスリット４０７を開き、未反応試料を開閉部４０２を介して、第１のウェル２０１の下方に設けられた図示しない廃棄容器へ廃棄する。これ以降、他の搬送位置において、開閉部４０２の内側側面に付着した感作磁性粒子の洗浄作業、標識抗体反応後のＢ/Ｆ分離、及びＢ/Ｆ分離後の第１のウェル２０１の洗浄作業が行われるが、開閉部４０２は、図１０（ａ）から図１０（ｃ）に示す同様の動作を繰り返す。これにて、分注ステージ１０が終了する。
【００６９】
（実施の形態２の効果）
このように実施の形態２によれば、実施の形態１と略同様の効果に加えて、開閉部４０２を第１のウェル２０１の外部に設けたことで、第１のウェル２０１に対する開閉部４０２の接続作業が容易になる。また、第１のウェル２０１と開閉部４０２との接続部４０１や境界部等の隙間にサンプル等が入り込んで残存することを防止でき、測定感度が低下することを一層抑制できる。
【００７０】
〔実施の形態３〕
次に、実施の形態３について説明する。この実施の形態３は、開閉手段を収容手段と一体構造にした形態である。
【００７１】
（構成）
図１１は、実施の形態３に係る免疫測定システム１のカートリッジ２００を示す図であり、（ａ）は平面図、（ｂ）は正面図である。図１２は、カートリッジ２００の縦断面図である。図１３は開閉部４０２の動作を示す縦断面図であり、（ａ）は開閉部の閉状態、（ｂ）は磁気部の近接状態、（ｃ）は開閉部の開状態を示す。実施の形態３に係る免疫測定システムは、図１、２に示した実施の形態１の免疫測定システム１とほぼ同様に構成でき、開閉部４０２の構成と、開閉部４０２の後述する作用のみが異なるため、その他の構成の説明は省略する。
【００７２】
第１のウェル２０１の底部には、第１のウェル２０１の内部に収容された試料が当該第１のウェル２０１の内部から流出可能な開口４００が設けられている。この開口４００の近傍には、開口４００を覆うように第１のウェル２０１の外部に開閉部４０２が設けられている。
【００７３】
この開閉部４０２は、一対のリップ４０３、４０４、及びスリット４０７を備えて構成されている。一対のリップ４０３、４０４は、第１のウェル２０１の上側から下側に向かって互いに収束するように接近している略板状の弾性材であり、当該一対のリップ４０３、４０４とが互いに当接し、第１のウェル２０１に一体に成形されている。このため、第１のウェル２０１の側壁に接続部４０１や、開閉部４０２に一対の凸部４０５、４０６を設ける必要がなく、第１のウェル２０１に開閉部４０２を取り付ける手間を省くことができると共に、第１のウェル２０１と開閉部４０２を強固に固定することができる。また、開閉部４０２と第１のウェル２０１とを同じ材料で成形することで、製造コストを低減することができる。一体に枠成型したり、別体に成型した後で接合することで最終的に一体成形構造とすることも考えられる。また、射出成型により、第１のウェル２０１と開閉部４０２を相互に異なる素材で成型することもでき、第１のウェル２０１には硬質の素材、開閉部４０２には弾性体を用いてもよい。
【００７４】
また、スリット４０７は、第１のウェル２０１の内部に収容された試料を外部へ流出させるための開口手段であり、細長状に形成され、一対のリップ４０３、４０４間に配置されている。
【００７５】
（免疫測定システムの作用）
次に、実施の形態３に係る免疫測定システム１の作用について説明する。ここでは、開閉部４０２に関連する処理について説明し、その他の説明は省略する。
【００７６】
感作磁性粒子を抗原抗体反応させた後、図１３（ａ）及び図１３（ｂ）に示すように、所定の搬送位置において、第１のウェル２０１を磁気部５０１に近接させることで、試料を浮遊している感作磁性粒子を、当該磁気部５０１の磁場によって開閉部４０２側に吸引させる。具体的には、感作磁性粒子は、開閉部４０２の内側側面と試料との接触面に吸着される。次いで、図１３（ｃ）に示すように、感作磁性粒子を吸引させた状態で、圧力ポンプ１９を用いて第１のウェル２０１の内部に所定の圧力を加えることで開閉部４０２のスリット４０７を開き、未反応試料を開閉部４０２を介して、第１のウェル２０１の下方に設けられた図示しない廃棄容器へ廃棄する。これ以降、他の搬送位置において、開閉部４０２の内側側面に付着した感作磁性粒子の洗浄作業、標識抗体反応後のＢ/Ｆ分離、及びＢ/Ｆ分離後の第１のウェル２０１の洗浄作業が行われるが、開閉部４０２は、図１３（ａ）から図１３（ｃ）に示す動作を繰り返す。これにて、分注ステージ１０が終了する。
【００７７】
（実施の形態３の効果）
このように実施の形態３によれば、開閉部４０２を第１のウェル２０１と一体成形したことで、第１のウェル２０１の構造を簡素化することができるので、部品点数の減少及びカートリッジの小型化を図ることができ、カートリッジの製造コストを一層低減することができる。
【００７８】
〔実施の形態４〕
次に、実施の形態４について説明する。この実施の形態４は、開閉手段に一対の段差部４１０、４１１を設けた形態である。
【００７９】
（構成）
図１４は、実施の形態４に係る免疫測定システム１のカートリッジ２００を示す図であり、（ａ）は平面図、（ｂ）は正面図である。図１５は、カートリッジ２００の縦断面図である。図１６は開閉部４０２の動作を示す縦断面図であり、（ａ）は開閉部４０２の閉状態、（ｂ）は磁気部５０１の近接状態、（ｃ）は開閉部４０２の開状態を示す。図１７は開閉部４０２の断面の各部の詳細な符号を示す図である。実施の形態４に係る免疫測定システム１は、図１、２に示した実施の形態１の免疫測定システム１とほぼ同様に構成でき、開閉部４０２の構成と、開閉部４０２の後述する作用のみが異なるため、その他の構成の説明は省略する。
【００８０】
第１のウェル２０１の底部には、第１のウェル２０１の内部に収容された試料が当該第１のウェル２０１の内部から流出可能な開口４００が設けられている。この開口４００の近傍には、第１のウェル２０１に内包される開閉部４０２が設けられている。
【００８１】
この開閉部４０２は、一対のリップ４０３、４０４、一対の凸部４０５、４０６、及びスリット４０７を備えて構成されている。一対のリップ４０３、４０４は、第１のウェル２０１の上側から下側に向かって互いに収束するように接近している略板状の弾性材であり、当該一対のリップ４０３、４０４とが互いに当接し、当該一対のリップ４０３、４０４の一部が第１のウェル２０１の外側側壁と当接する位置に配置されている。この一対のリップ４０３、４０４には、両者左右対称になるように一対の段差部４１０、４１１が一段設けられている。一対の段差部４１０、４１１は、感作磁性粒子を保持するための保持手段であり、第１のウェル２０１の長手方向に対して略直交する方向であって当該第１のウェル２０１の内側に向かう方向に突出している。具体的には、一対の段差部４１０、４１１は、第１のウェル２０１の内側側壁と当接する上段鉛直面４１０ａ、４１１ａ、上段鉛直面４１０ａ、４１１ａに直交する上段水平面４１０ｂ、４１１ｂ、上段水平面４１０ｂ、４１１ｂに直交する下段鉛直面４１０ｃ、４１１ｃ、及び下段鉛直面４１０ｃ、４１１ｃに直交する下段水平面４１０ｄ、４１１ｄを有している。これら一対の段差部４１０、４１１の面のうち、上段水平面４１０ａ、４１１ａの水平幅は、第１のウェル２０１の内部にある感作磁性粒子を保持できる程度の大きさであることが好ましい。なお、一対の段差部４１０、４１１の数は任意であり、例えば、複数の段差を有する一対の段差部４１０、４１１でもよい。この複数の段差を有する一対の段差部４１０、４１１の上段には、少なくとも一つの水平面が設けられることが好ましい。
【００８２】
一対の凸部４０５、４０６は、接続部４０１に嵌合される部分であり、一対の段差部４１０、４１１の上段鉛直面４１０ａ、４１１ａに隣接して配置されている。具体的には、一対の凸部４０５、４０６は、開口４００外側に凸状に形成されており、接続部４０１と対向する位置に配置され、接続部４０１に対して嵌合固定されている。
【００８３】
また、スリット４０７は、細長状に形成され、一対のリップ４０３、４０４の下段水平面間に配置されている。
【００８４】
（免疫測定システムの作用）
次に、実施の形態４に係る免疫測定システム１の作用について説明する。ここでは、開閉部４０２に関連する処理について説明し、その他の説明は省略する。
【００８５】
感作磁性粒子を抗原抗体反応させた後、図１６（ａ）及び図１６（ｂ）あるいは図１７に示すように、所定の搬送位置において、第１のウェル２０１を磁気部５０１に近接させることで、試料を浮遊している感作磁性粒子を、当該磁気部５０１の磁場によって開閉部４０２側に吸引させる。具体的には、感作磁性粒子は、磁気部５０１によって上段水平面４１０ｂ、４１１ｂに吸着される。特に、この際に、磁気部５０１を段差部４１０、４１１の下方に位置させた状態で、感作磁性粒子を吸引し、磁気部５０１を段差部４１０、４１１の上方に移動させて感作磁性粒子を上段水平面４１０ｂ、４１１ｂに移動させ、磁気部５０１の磁場を一旦切ってから、この磁気部５０１を段差部４１０、４１１の下方に再び位置させ、磁気部５０１の磁場を再び形成して感作磁性粒子を吸引し、以降、この動作を複数回繰り返すことで、感作磁性粒子を上段水平面４１０ｂ、４１１ｂに確実に移動させることが可能となる。
【００８６】
次いで、図１６（ｃ）に示すように、感作磁性粒子を吸引させた状態で、圧力ポンプ１９を用いて第１のウェル２０１の内部に所定の圧力を加えることで開閉部４０２のスリット４０７を開き、未反応試料を開閉部４０２を介して、第１のウェル２０１の下方に設けられた図示しない廃棄容器へ廃棄する。これ以降、他の搬送位置において、開閉部４０２の内側側面に付着した感作磁性粒子の洗浄作業、標識抗体反応後のＢ/Ｆ分離、及びＢ/Ｆ分離後の第１のウェル２０１の洗浄作業が行われるが、開閉部４０２は、図１６（ａ）から図１６（ｃ）に示す動作を繰り返す。これにて、分注ステージ１０が終了する。
【００８７】
（実施の形態４の効果）
このように実施の形態４によれば、開閉部４０２に一対の段差部４１０、４１１を設けたことで、第１のウェル２０１から試料を流出させる場合に、一対の段差部４１０、４１１の上段水平面にて感作磁性粒子を保持することで、試料の流出に伴って第１のウェル２０１から感作磁性粒子が流出することを防止できる。
【００８８】
〔III〕各実施の形態に対する変形例
以上、本発明に係る一実施の形態について説明したが、本発明の具体的な構成及び手段は、特許請求の範囲に記載した各発明の技術的思想の範囲内において、任意に改変及び改良することができる。以下、このような変形例について説明する。
【００８９】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００９０】
（カートリッジについて）
開閉部４０２の設置は、第１のウェル２０１に限定されない。例えば、複数のウェルにて所望の物質を抽出する場合には、開閉部４０２は第２のウェル２０２や第３のウェル２０３に設けられる。
【００９１】
（磁気部について）
磁気部５０１の感作磁性粒子の集磁位置は、開閉部４０２近傍に限定されない。例えば、磁気部５０１は、第１のウェル２０１の側壁に位置されてもよい。また、磁気部５０１は、第１のウェル２０１の両側に設けられることに限定されず、例えば、磁気部５０１は、第１のウェル２０１の片側だけに設けられてもよい。
【００９２】
（段差部について）
一対の段差部４１０、４１１は、開閉部４０２に設けられることに限定されない。例えば、一対の段差部４１０、４１１は第１のウェル２０１の側壁に設けられてもよく、あるいは、開閉部４０２と第１のウェル２０１との両方に設けられてもよい。また、一対の段差部４１０、４１１は、開閉部４０２が第１のウェル２０１の外部に設けられた場合や、開閉部４０２と第１のウェル２０１が一体成形された場合にも適用される。
【図面の簡単な説明】
【００９３】
【図１】実施の形態１に係る免疫測定システムの全体斜視図である。
【図２】図１の免疫測定システムの全体平面図である。
【図３】搬送機構の要部斜視図である。
【図４】カートリッジを示す図であり、（ａ）は平面図、（ｂ）は正面図である。
【図５】カートリッジの縦断面図である。
【図６】図３のＡ−Ａ矢視縦断面図である。
【図７】開閉部の動作を示す縦断面図であり、（ａ）は開閉部の閉状態、（ｂ）は磁気部の近接状態、（ｃ）は開閉部の開状態である。
【図８】実施の形態２に係る免疫測定システムのカートリッジを示す図であり、（ａ）は平面図、（ｂ）は正面図である。
【図９】カートリッジの縦断面図である。
【図１０】開閉部の動作を示す縦断面図であり、（ａ）は開閉部の閉状態、（ｂ）は磁気部の近接状態、（ｃ）は開閉部の開状態である。
【図１１】実施の形態３に係る免疫測定システムのカートリッジを示す図であり、（ａ）は平面図、（ｂ）は正面図である。
【図１２】カートリッジの縦断面図である。
【図１３】開閉部の動作を示す縦断面図であり、（ａ）は開閉部の閉状態、（ｂ）は磁気部の近接状態、（ｃ）は開閉部の開状態である。
【図１４】実施の形態４に係る免疫測定システムのカートリッジを示す図であり、（ａ）は平面図、（ｂ）は正面図である。
【図１５】カートリッジの縦断面図である。
【図１６】開閉部の動作を示す縦断面図であり、（ａ）は開閉部の閉状態、（ｂ）は磁気部の近接状態、（ｃ）は開閉部の開状態である。
【図１７】開閉部の断面の各部の詳細な符号を示す図である。
【符号の説明】
【００９４】
１  免疫測定システム
２  ベース面
１０  分注ステージ
１１、１２  希釈液分注ポンプ
１３  試薬吸引分離ポンプ
１４  サンプルカセット
１５  サンプリングチップカセット
１６  サンプルクレーン機構
１７  サンプリングポンプユニット
１８  サンプリングチップ
１９  圧力ポンプ
２０  測定ステージ
３０  廃棄ステージ
１００  搬送機構
１０１  搬送ベルト
１０２  駆動機構
１０３  間隔保持プレート
１０４  ガイド突起
１０５  スプロケット
２００  カートリッジ
２０１  第１のウェル
２０２  第２のウェル
２０３  第３のウェル
２０４  端部
２０５  切欠部
３００  サンプル容器
４００  開口
４０１  接続部
４０２  開閉部
４０３、４０４  リップ
４０５、４０６  凸部
４０７  スリット
４０８、４０９  嵌合部
４１０、４１１  段差部
４１０ａ、４１１ａ  上段鉛直面
４１０ｂ、４１１ｂ  上段水平面
４１０ｃ、４１１ｃ  下段鉛直面
４１０ｄ、４１１ｄ  下段水平面
５００  可動部
５０１  磁気部
Ｐ１  位置
【図１】
2010127917.tif 000003
【図２】
2010127917.tif 000004
【図３】
2010127917.tif 000005
【図４】
2010127917.tif 000006
【図５】
2010127917.tif 000007
【図６】
2010127917.tif 000008
【図７】
2010127917.tif 000009
【図８】
2010127917.tif 000010
【図９】
2010127917.tif 000011
【図１０】
2010127917.tif 000012
【図１１】
2010127917.tif 000013
【図１２】
2010127917.tif 000014
【図１３】
2010127917.tif 000015
【図１４】
2010127917.tif 000016
【図１５】
2010127917.tif 000017
【図１６】
2010127917.tif 000018
【図１７】
2010127917.tif 000019